(57)【要約】【課題】複数の表示装置で表示画面を構成する画像表示において、初期設定が容易となる画像表示システムを提供する。【解決手段】画像表示システム１０は、複数の表示装置１１１と、複数の入力映像信号が入力され、複数の入力映像信号から、表示装置のレイアウトに応じた出力映像信号を表示装置毎に生成する画像処理部と、複数の異なるテストパターン画像を示すパターン信号を生成するパターン信号生成部と、出力映像信号及びパターン信号が入力され、出力映像信号及びパターン信号のいずれかを選択して出力するセレクタと、複数の表示装置に表示されたテストパターン画像を撮像する撮像装置１２０と、撮像装置で撮像された撮像画像を解析し、解析結果に基づいて、画像処理部を制御するための制御情報を生成する制御装置１４０と、を備える。【選択図】図１
2018049257.tif 000002
【特許請求の範囲】
【請求項１】
任意のレイアウトで配置された複数の表示装置と、
複数の入力映像信号が入力され、前記複数の入力映像信号から、前記レイアウトに応じた出力映像信号を前記表示装置毎に生成する画像処理部と、
複数の異なるテストパターン画像を示すパターン信号を生成するパターン信号生成部と、
前記出力映像信号及び前記パターン信号が入力され、前記出力映像信号及び前記パターン信号のいずれかを選択して出力するセレクタと、
前記複数の表示装置に表示された前記テストパターン画像を撮像する撮像装置と、
前記撮像装置で撮像された撮像画像を解析し、解析結果に基づいて、前記画像処理部を制御するための制御情報を生成する制御装置と、を備える、
画像表示システム。
【請求項２】
前記制御装置は、前記解析結果に基づいて、前記表示装置を示す第１のオブジェクトが表示されたユーザーインターフェース画面を表示する、請求項１に記載の画像表示システム。
【請求項３】
前記制御装置は、前記解析結果に基づいて、前記ユーザーインターフェース画面上での前記表示装置の配置を示す第１の配置情報を生成する、請求項２に記載の画像表示システム。
【請求項４】
前記第１の配置情報は、前記ユーザーインターフェース画面上での前記第１のオブジェクトの位置及び回転角度をそれぞれ示す情報を含む、請求項３に記載の画像表示システム。
【請求項５】
前記第１の配置情報はユーザーにより変更できる、請求項３に記載の画像表示システム。
【請求項６】
前記制御装置は、ユーザー操作にしたがい、前記ユーザーインターフェース画面上において前記入力映像信号に基づいた映像を示す第２のオブジェクトを配置し、
前記制御装置は、前記第２のオブジェクトの配置に基づき、前記ユーザーインターフェース画面上での前記入力映像信号に基づいた映像の配置を示す第２の配置情報を生成する、
請求項２に記載の画像表示システム。
【請求項７】
前記第２の配置情報は、前記ユーザーインターフェース画面上での前記第２のオブジェクトの位置、大きさ及び回転角度をそれぞれ示す情報を含む、請求項６に記載の画像表示システム。
【請求項８】
前記画像処理部は、前記ユーザーインターフェース画面上での、前記第１のオブジェクトと、前記第２のオブジェクトとの間の相対的な位置関係及び大きさに基づき、前記複数の表示装置に対する前記出力映像信号を生成する、
請求項６に記載の画像表示システム。
【請求項９】
前記セレクタから前記出力映像信号及び前記パターン信号が入力され、前記出力映像信号及び前記パターン信号にＩＰアドレスを付加して送信する画像送信部をさらに備え、
前記表示装置は、前記画像送信部から、前記ＩＰアドレスが付加された出力映像信号及びパターン信号を受信し、前記表示装置のＩＰアドレスと一致するＩＰアドレスを有する、受信した前記出力映像信号及び前記パターン信号に基づいた画像を表示する、
請求項１記載の画像表示システム。
【発明の詳細な説明】
【技術分野】
【０００１】
本開示は、画像表示システムに関する。
【背景技術】
【０００２】
複数の表示装置を利用して１つの画面を構成し、大画面、高解像度の画像を表示可能なマルチディスプレイが知られている（特許文献１等）。例えば、１９２０×１０８０の解像度を持つ表示装置を横に４台、縦に４台配置することによって、８Ｋ解像度を持つマルチディスプレイを構成することができる。近年、マルチディスプレイを構成する表示装置の数が増加しており、マルチディスプレイがより大画面/高精細化している。
【０００３】
このようなマルチディスプレイを構成する個々の表示装置に対して、映像出力装置から映像信号が供給される。個々の表示装置は、映像出力装置からの映像信号を受信するための入力端子（例えば、ＨＤＭＩ（登録商標）端子）を有し、入力端子から受信した映像信号に基づく映像を表示する。
【先行技術文献】
【特許文献】
【０００４】
【特許文献１】特開２００８−２８１７１７号公報
【特許文献２】特開２０１３−１５３４１０号公報
【発明の概要】
【発明が解決しようとする課題】
【０００５】
マルチディスプレイを構成する各表示装置を設置する際に、映像出力装置の出力端子がどの表示装置の入力端子に接続されるべきかを確認しながら適切に接続する必要がある。
【０００６】
また、複数の映像信号を一つのネットワークケーブルに重畳して伝送するネットワークの技術（ＶｏＩＰ（Ｖｏｉｃｅ  ｏｖｅｒ  Ｉｎｔｅｒｎｅｔ  Ｐｒｏｔｏｃｏｌ））を利用して映像出力装置からの映像信号を、マルチディスプレイを構成する各表示装置に送信する場合も有る。その場合、各表示装置を設置する際に、個々の表示装置のネットワーク設定（ＩＰアドレス）を確認して適切に接続する必要がある。
【０００７】
しかしながら、マルチディスプレイを構成する表示装置の数の増加に伴い、映像出力装置の出力端子と表示装置の入力端子間の物理的接続のミスが発生しやすくなる。また、ネットワークケーブルに複数の映像データを重畳して伝送するＶｏＩＰにおいても、各表示装置と映像出力装置とのネットワーク設定等のミスが発生しやすくなる。このようなミスにより、マルチディスプレイにおいて、意図しない表示装置に意図しない映像が表示されることになる。そのため所望の表示状態を実現するために接続や設定を修正する作業が必要となる。
【０００８】
本開示は、複数の表示装置で表示画面を構成する画像表示システムであって、初期設定が容易となる画像表示システムを提供する。
【課題を解決するための手段】
【０００９】
本開示の画像表示システムは、任意のレイアウトで配置された複数の表示装置と、複数の入力映像信号が入力され、複数の入力映像信号から、レイアウトに応じた出力映像信号を表示装置毎に生成する画像処理部と、複数の異なるテストパターン画像を示すパターン信号を生成するパターン信号生成部と、出力映像信号及びパターン信号が入力され、出力映像信号及びパターン信号のいずれかを選択して出力するセレクタと、複数の表示装置に表示されたテストパターン画像を撮像する撮像装置と、撮像装置で撮像された撮像画像を解析し、解析結果に基づいて、画像処理部を制御するための制御情報を生成する制御装置と、を備える。
【発明の効果】
【００１０】
本開示の画像表示システムによれば、自動で表示装置の配置を認識し、表示装置に対する映像信号の割り当てを行うため、複数の表示装置の設置時における初期設定が容易となる。
【図面の簡単な説明】
【００１１】
【図１】図１は、実施の形態１におけるマルチディスプレイシステムの構成を示すブロック図である。
【図２】図２は、実施の形態１におけるマルチウィンドウプロセッサの構成を示すブロック図である。
【図３】図３は、実施の形態１におけるコントローラの構成を示すブロック図である。
【図４】図４は、実施の形態１におけるテストパターン画像の例を示す図である。
【図５】図５は、実施の形態１におけるテストパターン画像を各ディスプレイで表示させた場合のマルチディスプレイ全体の表示画面の表示例を示す図である。
【図６】図６は、実施の形態１におけるディスプレイオブジェクトが配置されたユーザーインターフェース画面の例を示す図である。
【図７】図７は、実施の形態１におけるディスプレイ配置情報の構成例を示す図である。
【図８】図８は、実施の形態１におけるディスプレイオブジェクトに入力信号オブジェクトを重ねて配置したユーザーインターフェース画面の例を示す図である。
【図９】図９は、実施の形態１における入力信号配置情報の構成例を示す図である。
【図１０】図１０は、実施の形態１におけるディスプレイ（ｎ）に対する入力映像の割り当て処理を説明するための図である。
【図１１Ａ】図１１Ａは、実施の形態１における入力映像信号に基づく入力映像を示す図である。
【図１１Ｂ】図１１Ｂは、実施の形態１における入力映像信号に基づく入力映像を示す図である。
【図１１Ｃ】図１１Ｃは、実施の形態１における入力映像信号に基づく入力映像を示す図である。
【図１１Ｄ】図１１Ｄは、各ディスプレイに入力映像が割り当てられた場合のマルチディスプレイの表示例を示す図である。
【図１２】図１２は、実施の形態２におけるマルチディスプレイシステムの構成を示すブロック図である。
【図１３】図１３は、実施の形態２におけるマルチウィンドウプロセッサの構成を示すブロック図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者（ら）は、当業者が本開示を十分に理解するために添付図面および以下の説明を提供するのであって、これらによって特許請求の範囲に記載の主題を限定することを意図するものではない。
【００１４】
（実施の形態１）
［１−１．構成］
図１は、実施の形態１におけるマルチディスプレイシステム１０の構成を示すブロック図である。マルチディスプレイシステム１０は、複数の映像出力装置１００、マルチディスプレイ１１０、撮像装置１２０、マルチウィンドウプロセッサ１３０及びコントローラ１４０を備える。なお、本実施の形態において、マルチディスプレイシステム１０は、画像表示システムの一例である。
【００１５】
映像出力装置１００は、マルチディスプレイ１１０に表示する映像の映像信号を出力する映像信号源である。本実施の形態では、映像出力装置１００は複数ある。なお、本実施の形態では、映像出力装置１００から出力される映像信号を入力映像信号とよぶ。
【００１６】
マルチディスプレイ１１０は、任意のレイアウトで配置された複数のディスプレイ１１１で構成される。本実施の形態では、マルチディスプレイ１１０は、１０台のディスプレイ１１１で構成される。各ディスプレイ１１１はフルハイビジョン解像度を有する表示装置である。なお、本実施の形態では、ディスプレイ１１１は、液晶ディスプレイまたは有機ＥＬディスプレイである。
【００１７】
マルチウィンドウプロセッサ１３０は、複数の映像出力装置１００から入力される複数の入力映像信号の画像処理を行う。マルチウィンドウプロセッサ１３０は、複数の入力映像信号からマルチディスプレイ１１０を構成するディスプレイ１１１毎に出力映像信号を生成する。生成された出力映像信号は、マルチディスプレイ１１０に出力される。マルチディスプレイ１１０におけるディスプレイ１１１は、マルチウィンドウプロセッサ１３０から入力された出力映像信号に基づき映像を表示する。次に、マルチウィンドウプロセッサ１３０の構成について説明する。
【００１８】
図２は、実施の形態１におけるマルチウィンドウプロセッサ１３０の構成を示すブロック図である。マルチウィンドウプロセッサ１３０は、入力端子１３１と、フレームメモリ１３２と、画像処理部１３３と、制御部１３４と、テストパターン生成部１３５と、セレクタ１３６と、出力端子１３７とを備える。
【００１９】
入力端子１３１は複数あって、図２に示すように、本実施の形態では、入力端子１３１は、ｍ個（ｍ＝１、２、・・・）ある。映像出力装置１００から入力される入力映像信号は、入力端子１３１を介してフレームメモリ１３２に出力される。
【００２０】
フレームメモリ１３２は、入力端子１３１を介して入力される入力映像信号を一時的に格納する。入力映像信号は、フレームメモリ１３２に一時的に格納された後、画像処理部１３３に出力される。フレームメモリ１３２と画像処理部１３３とは、ｍ個のケーブル、もしくは回路パターン等で接続されている。
【００２１】
画像処理部１３３は、入力映像信号を処理する。画像処理部１３３には、フレームメモリ１３２を介して複数の入力映像信号が入力される。画像処理部１３３は、入力された複数の入力映像信号からディスプレイ１１１のレイアウトに応じた出力映像信号をディスプレイ１１１毎に生成する。画像処理部１３３で生成された出力映像信号は、セレクタ１３６に出力される。本実施の形態では、画像処理部１３３とセレクタ１３６は、ｎ個（ｎ＝１、２・・・）のケーブル、もしくは回路パターン等で接続されている。画像処理部１３３は、ｎ個の出力映像信号をセレクタ１３６に出力する。
【００２２】
制御部１３４は、画像処理部１３３を制御する。制御の詳細については後述する。
【００２３】
テストパターン生成部１３５は、複数の異なるテストパターン画像を示すテストパターン信号を生成する。生成されたテストパターン信号は、セレクタ１３６に出力される。本実施の形態では、テストパターン生成部１３５とセレクタ１３６は、ｎ個のケーブルもしくは回路パターン等で接続されている。テストパターン生成部１３５は、ｎ個のテストパターン信号を生成し、生成されたｎ個のテストパターン信号は、セレクタ１３６に出力される。
【００２４】
セレクタ１３６は、画像処理部１３３からの出力映像信号及びテストパターン生成部１３５からのテストパターン信号が入力され、出力映像信号及びテストパターン信号のいずれか一方からの信号を選択的に出力端子１３７に出力する。
【００２５】
出力端子１３７は、複数あって、セレクタ１３６から入力される信号を外部に出力する。複数の出力端子１３７のそれぞれは、ケーブルを介して複数のディスプレイ１１１のそれぞれに接続される。なお、本実施の形態では、出力端子１３７はｎ個ある。
【００２６】
本実施の形態では、マルチウィンドウプロセッサ１３０のテストパターン生成部１３５、画像処理部１３３及び制御部１３４は、それぞれ独立して又は一体的にハードウェア回路（ＦＰＧＡ（Ｆｉｅｌｄ−Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等）で構成される。または、それらは、それぞれ独立して又は一体的にプログラムを実行して所定の機能を実現するＣＰＵ（Ｃｅｎｔｒａｌ  Ｐｒｏｃｅｓｓｉｎｇ  Ｕｎｉｔ）、ＭＰＵ（Ｍｉｃｒｏ−Ｐｒｏｃｅｓｓｉｎｇ  Ｕｎｉｔ）で構成されてもよい。
【００２７】
図１に戻り、撮像装置１２０は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサのような画像センサを含み、被写体を撮像して画像データを生成する。撮像装置１２０は、被写体であるマルチディスプレイ１１０の表示画面を撮像して画像データを生成する。つまり、撮像装置１２０は、複数のディスプレイ１１１に表示された、出力映像信号及びテストパターン信号に基づく画像を撮像して画像データを生成する。
【００２８】
コントローラ１４０は、ユーザーの指示を受け付け、ユーザーの指示にしたがいマルチウィンドウプロセッサ１３０を制御する装置である。コントローラ１４０は例えばパーソナルコンピュータで構成される。また、コントローラ１４０は、撮像装置１２０で撮像された撮像画像を解析し、解析結果に基づいて、画像処理部１３３を制御するための制御情報を生成する。次に、コントローラ１４０の構成について説明する。
【００２９】
図３は、実施の形態１におけるコントローラ１４０の構成を示すブロック図である。コントローラ１４０は、コントローラ１４０全体の動作を制御する制御部１４１と、種々の情報を表示する表示部１４３と、ユーザーが操作を行う操作部１４５と、ＲＡＭ（Ｒａｎｄｏｍ  Ａｃｃｅｓｓ  Ｍｅｍｏｒｙ）１４６と、データやプログラムを記憶するデータ記憶部１４７とを備える。
【００３０】
表示部１４３は例えば液晶ディスプレイや有機ＥＬディスプレイで構成される。操作部１４５は、タッチパネル、キーボード、マウス、ボタン等を含む。
【００３１】
ＲＡＭ１４６は、例えば、ＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  Ｒａｎｄｏｍ  Ａｃｃｅｓｓ  Ｍｅｍｏｒｙ）等の半導体デバイスで構成され、データを一時的に記憶するとともに、制御部１４１の作業エリアとしても機能する。
【００３２】
データ記憶部１４７は、所定の機能を実現するために必要なパラメータ、データ及び制御プログラム等を記憶する記録媒体である。データ記憶部１４７は例えばハードディスク（ＨＤＤ（Ｈａｒｄ  Ｄｉｓｋ  Ｄｒｉｖｅ））や半導体記憶装置（ＳＳＤ（Ｓｏｌｉｄ  Ｓｔａｔｅ  Ｄｒｉｖｅ））で構成される。
【００３３】
制御部１４１はＣＰＵであり、制御プログラム（ソフトウェア）を実行することで所定の機能を実現する。制御部１４１は、ＣＰＵに限定されず、ＭＰＵ、ＧＰＵ（Ｇｒａｐｈｉｃｓ  Ｐｒｏｃｅｓｓｉｎｇ  Ｕｎｉｔ）、ＦＰＧＡ、ＡＳＩＣ等、所定の機能を実行する種々の電子回路で実現できる。
【００３４】
［１−２．動作］
以上の構成を有するマルチディスプレイシステム１０の動作を以下に説明する。
【００３５】
［１−２−１．映像表示動作］
最初に、マルチディスプレイシステム１０における通常の映像表示動作を、図１及び図２を用いて説明する。複数の映像出力装置１００は、マルチウィンドウプロセッサ１３０に入力映像信号を出力する。マルチウィンドウプロセッサ１３０には、複数の入力端子１３１を介して複数の映像出力装置１００の各々から入力映像信号が入力される。複数の入力端子１３１のそれぞれから入力された入力映像信号は、フレームメモリ１３２に格納される。
【００３６】
画像処理部１３３は、フレームメモリ１３２に格納されている、入力端子１３１毎に入力された入力映像信号を読み出す。また、画像処理部１３３は、制御部１３４から制御パラメータを含む制御信号を受信する。制御信号は、コントローラ１４０から入力される。制御パラメータは、各ディスプレイ１１１に対する入力映像信号の表示位置や拡大／縮小、切り出し、マルチレイヤ処理における配置優先順位、等の情報を含む。画像処理部１３３は、入力端子１３１毎に入力された入力映像信号と、制御部１３４から受信した制御パラメータとに基づき画像処理を行う。画像処理された入力映像信号は、出力映像信号として画像処理部１３３からセレクタ１３６を介して出力端子１３７毎に出力される。各出力端子１３７から出力された出力映像信号は、各ディスプレイ１１１に入力される。各ディスプレイ１１１は、出力映像信号に基づいた画像を表示する。つまり、画像処理部１３３は、入力映像信号と制御信号とに基づいてディスプレイ１１１毎すなわち出力端子１３７毎に、出力映像信号を生成し、出力端子１３７毎に出力映像信号を出力する。これにより、マルチディスプレイ１１０全体で所望の映像が表示される。
【００３７】
ここで、マルチディスプレイシステム１０において、マルチウィンドウプロセッサ１３０の映像出力端子（出力端子１３７）は、所定のディスプレイ１１１の入力端子に接続される必要がある。所定の出力端子１３７が、所定のディスプレイ１１１の入力端子に接続されていない場合、マルチディスプレイ１１０の表示画面において所望の画像が得られない。また、マルチウィンドウプロセッサ１３０の出力端子１３７から出力される出力映像信号は、各ディスプレイ１１１の相対位置に応じて生成される必要がある。しかしながら、出力端子１３７と個々のディスプレイ１１１の入力端子間で接続の不整合が生じると、個々のディスプレイ１１１間の境界部分で画像のずれが生じる。ここでいう画像のずれとは、所定の画像が表示されるべきディスプレイ１１１に、異なる画像が表示されることを言う。
【００３８】
つまり、マルチウィンドウプロセッサ１３０の出力端子１３７と、各ディスプレイ１１１の入力端子とが正しく接続されていない場合、マルチディスプレイ１１０に所望の画像が表示されないという不具合が生じる。また、ディスプレイ１１１は縦向きで設置される場合もあり、その場合、向きに応じた出力映像信号を出力しなければならない。上記不具合を修正するためには、出力端子１３７とディスプレイ１１１の入力端子との接続を修正する必要があるが、ディスプレイ１１１の設置数が増加するに従い、不具合発生箇所の特定及び修正にかかる時間及び労力が増大している。本実施の形態のマルチディスプレイシステム１０は上記の問題を解決するために、初期調整機能を有する。本実施の形態に係るマルチディスプレイシステム１０は、撮像装置１２０を備え、接続の不具合発生個所の検出及び修正を自動で行うことができる。そのため、マルチディスプレイシステム１０の初期設定、不具合発生箇所の検出及び修正を容易になる。以下、この初期調整機能の実行時の動作を説明する。
【００３９】
［１−２−２．初期調整動作］
本開示に係るマルチディスプレイシステム１０において、初期調整動作は、例えば、マルチディスプレイ１１０が新たに設置された場合、または、マルチディスプレイ１１０におけるディスプレイ１１１の配置が変更されたときに実施される。以下、初期調整動作の手順について説明する。
【００４０】
初期調整動作時において、まず、コントローラ１４０（すなわち、制御部１４１）は、ディスプレイ１１１毎に異なる初期調整用のテストパターン画像を表示させる。そのため、コントローラ１４０は、マルチウィンドウプロセッサ１３０に対してテストパターン画像を表示させるための制御信号を出力する。
【００４１】
次に、この制御信号を受けて、制御部１３４は、テストパターン生成部１３５を制御する。テストパターン生成部１３５は、制御部１３４に制御され、出力端子１３７の数と同数の、互いに異なるテストパターン画像を示す映像信号（以下「テストパターン信号」という）を生成する。テストパターン信号は、外部から入力される映像信号とは独立した信号である。なお、ここで言う外部から入力される映像信号とは、本実施の形態における映像出力装置１００から入力される入力映像信号のことである。このとき、セレクタ１３６は、制御部１３４からの制御信号に従い、テストパターン生成部１３５からのテストパターン信号を出力端子１３７に出力するように経路を切り替える。これにより、初期調整動作時において、各出力端子１３７から各ディスプレイ１１１にテストパターン信号が出力される。各ディスプレイ１１１は、テストパターン信号に基づいて、それぞれ異なるテストパターン画像を表示する。以下、テストパターン画像について説明する。
【００４２】
図４は、実施の形態１におけるテストパターン画像の例を示した図である。テストパターン画像は、テストパターン生成部１３５で生成されるテストパターン信号に基づいて、各ディスプレイ１１１に表示される。図４に示すように、テストパターン画像は、出力端子１３７毎に異なる画像パターンを有する。具体的には、テストパターン画像は、中央に出力端子番号を示す情報４１が配置される。また、テストパターン画像は、ディスプレイ１１１の表示領域の端を認識するための枠４３を有する。さらに、テストパターン画像は、ディスプレイ１１１（画像）の回転方向（向き）を示すための画像４５（図４において、テストパターンの左上端に配置された三角画像）を含む。なお、テストパターン画像は、図４に示した例に限らず、個々のディスプレイ１１１の配置情報が検出できる画像パターンであればよい。例えば、ディスプレイ１１１毎に垂直周波数および水平周波数が異なる画像でもよい。または、コントローラ１４０からの制御信号にしたがい、出力端子１３７を切替ることで、同一のテストパターン信号を順次異なる出力端子１３７から出力するようにしてもよい。この場合、同一のテストパターン画像が、順次各ディスプレイ１１１に表示される。
【００４３】
図５は、実施の形態１におけるテストパターン画像を各ディスプレイ１１１で表示させた場合のマルチディスプレイ１１０全体の表示画面の表示例を示す図である。ここで、出力端子ｎに接続されているディスプレイをディスプレイ（ｎ）とする。図５に示すように、ディスプレイ１１１毎に（すなわち出力端子１３７毎に）異なるテストパターン画像が表示されている。
【００４４】
次に、初期調整動作時において、コントローラ１４０は、各ディスプレイ１１１にテストパターン画像を表示させた状態で、撮像装置１２０に対して、マルチディスプレイ１１０の表示画面を撮像させるための制御信号を出力する。撮像装置１２０は、コントローラ１４０からの制御信号にしたがい、テストパターン画像を表示したマルチディスプレイ１１０の表示画面（例えば、図５参照）を撮像し、撮像画像のデータをコントローラ１４０に送信する。つまり、撮像装置１２０は、マルチディスプレイ１１０の表示画面を撮像することで、各ディスプレイ１１１に表示されているテストパターン画像を撮像する。
【００４５】
次に、コントローラ１４０（すなわち、制御部１４１）は、撮像装置１２０から受信した撮像画像のデータを解析し、各出力端子１３７がどのディスプレイ１１１に接続されているか及びディスプレイ１１１間の相対的な配置関係を検出する。例えば、コントローラ１４０は、図５に示すような表示画面を撮像した撮像画像のデータを受信した場合、出力端子１が左端列の上側のディスプレイ１に接続され、出力端子２が左端列の下側のディスプレイ２に接続されていることを検出できる。また、コントローラ１４０は、撮像画像のデータから各ディスプレイ１１１の相対的な位置関係（配置）を認識できる。つまり、コントローラ１４０は、撮像装置１２０でマルチディスプレイ１１０の表示画面を撮像することで、各ディスプレイ１１１の配置を認識することができる。
【００４６】
そして、コントローラ１４０は、撮像画像のデータの解析結果にしたがい、マルチウィンドウプロセッサ１３０の画像処理部１３３を制御するための制御情報を決定する。また、コントローラ１４０は、撮像画像のデータの解析結果にしたがい、ディスプレイ配置情報５０（図７参照）を設定する。ディスプレイ配置情報５０は、コントローラ１４０のユーザーインターフェース画面上におけるディスプレイ１１１の位置を規定する情報である。ユーザーは、ユーザーインターフェース画面上において、入力映像信号に基づく映像の配置を設定することができる。
【００４７】
ここで、ユーザーインターフェース画面（以下「ＵＩ画面」という）について説明する。ＵＩ画面は、ユーザーが、入力映像信号による映像を各ディスプレイ１１１に配置するための画面である。ＵＩ画面は、コントローラ１４０の制御部１４１によって表示部１４３に表示される。ユーザーは、表示部１４３に表示されたＵＩ画面上で、各ディスプレイ１１１の配置を確認しながら入力映像信号による映像をマルチディスプレイ１１０上に配置することができる（詳細は後述）。
【００４８】
図６は、実施の形態１におけるディスプレイオブジェクト３１０が配置されたＵＩ画面の例を示す図である。図６に示すように、ＵＩ画面は、所定の面積を有するキャンパス領域３００と、ディスプレイオブジェクト３１０とを含む。ディスプレイオブジェクト３１０とは、ＵＩ画面上において、ディスプレイ１１１を示すオブジェクトのことである。ディスプレイオブジェクト３１０は、キャンパス領域３００上に、コントローラ１４０（制御部１４１）による撮像画像のデータの解析結果（すなわち、ディスプレイの検出結果）に基づき配置される。このようなＵＩ画面を参照することにより、ユーザーは各ディスプレイ１１１の配置を容易に確認することができる。
【００４９】
図７は、実施の形態１におけるディスプレイ配置情報５０の構成例を示す図である。ディスプレイ配置情報５０は、キャンパス領域３００上におけるディスプレイオブジェクト３１０の配置を規定している。図７に示すように、複数のディスプレイオブジェクト３１０それぞれに対するキャンパス領域３００上でのＸ座標、Ｙ座標および回転角度が、撮像画像のデータから検出され、ディスプレイ配置情報５０として管理される。ディスプレイ配置情報５０は、コントローラ１４０（制御部１４１）により、テストパターン画像の撮像画像のデータを解析することにより生成され、データ記憶部１４７に格納される。つまり、コントローラ１４０は、テストパターン画像の撮像画像のデータを解析し、各ディスプレイ１１１の位置（Ｘ、Ｙ座標）、回転角度を検出し、検出結果を示す情報をディスプレイ配置情報５０としてデータ記憶部１４７に格納する。マルチウィンドウプロセッサ１３０は、このディスプレイ配置情報５０を、入力映像信号に基づく映像を各ディスプレイ１１１に配置するための制御パラメータとして使用する。ディスプレイ配置情報５０である制御パラメータの値は、ユーザーによって手動で修正されることも可能である。すなわち、ユーザーは、コントローラ１４０の操作部１４５を操作することで、ディスプレイ配置情報５０である制御パラメータの値を変更することができる。
【００５０】
図６に示すように、ディスプレイオブジェクト３１０が配置されたＵＩ画面を用いて、ユーザーは入力映像信号に基づく映像をディスプレイ１１１へ配置する（割り当てる）ことができる。以下、ＵＩ画面を用いたディスプレイ１１１に対する入力映像信号に基づく映像の配置について説明する。
【００５１】
図８は、実施の形態１におけるディスプレイオブジェクト３１０に入力信号オブジェクト３５０を重ねて配置したＵＩ画面の例を示す図である。図８に示すように、ＵＩ画面上で、キャンパス領域３００上に配置されたディスプレイオブジェクト３１０に入力映像信号による映像（すなわち、入力映像１〜３）を重ねて配置できる。入力信号オブジェクト３５０とは、キャンパス領域３００上に配置された入力映像１〜３のことである。このようにディスプレイオブジェクト３１０に、入力信号オブジェクト３５０である入力映像１〜３を重ねて配置することにより、マルチディスプレイ１１０の表示画面上での入力映像１〜３の表示位置を設定できる。
【００５２】
ユーザーは、入力信号オブジェクト３５０を、ドラッグアンドドロップのような操作でキャンパス領域３００上に配置できる。また、ユーザーは、ＵＩ画面上で操作部１４５を操作して、入力信号オブジェクト３５０の位置、入力信号オブジェクト３５０のサイズ（横幅、縦幅）の設定を任意に変更することが可能である。図８では、入力映像１、入力映像２、入力映像３それぞれに対する入力信号オブジェクト３５０が、各ディスプレイ１１１のディスプレイオブジェクト３１０に重ねて配置されている。
【００５３】
図９は、実施の形態１における入力映像配置情報６０の構成例を示す図である。入力映像配置情報６０は、ＵＩ画面に配置された入力信号オブジェクト３５０のＵＩ画面上における配置位置を示す。また、入力映像配置情報６０は、入力信号オブジェクト３５０すなわち入力映像１〜３に関する、キャンパス領域３００上のＸ座標、Ｙ座標、サイズ（横幅、縦幅）および回転情報を含む。図９は、図８に示すように、入力映像１〜３がキャンパス領域３００上に対して配置されたときの入力映像配置情報６０の各パラメータの値を示している。入力映像配置情報６０は、マルチウィンドウプロセッサ１３０の画像処理部１３３において、入力映像を配置するための制御パラメータとして使用される。入力映像配置情報６０のパラメータの値はユーザーにより手動で変更されることも可能である。すなわち、ユーザーは、コントローラ１４０の操作部１４５を操作することで、入力映像配置情報６０である制御パラメータの値を変更することができる。
【００５４】
図８に示すように各ディスプレイオブジェクト３１０に対して入力映像１〜３が配置されている場合、ディスプレイ１に該当する位置には入力映像１の一部が切り出されて配置される。ディスプレイ４に該当する位置には、入力映像１と入力映像２それぞれの一部が切り出されて配置される。また、ディスプレイ６に該当する位置には、入力映像２と入力映像３それぞれの一部が切り出されて配置される。
【００５５】
ディスプレイ配置情報５０と入力映像配置情報６０とが設定されると、コントローラ１４０は、ディスプレイ配置情報５０と入力映像配置情報６０を含む制御信号を、マルチウィンドウプロセッサ１３０に送信する。マルチウィンドウプロセッサ１３０において、制御部１３４は、コントローラ１４０からの制御信号に基づき制御パラメータを生成し、画像処理部１３３に送信する。
【００５６】
具体的には、制御部１３４は、入力信号オブジェクト３５０の形状、サイズから入力映像１〜３に対する拡大率または縮小率を求める。また、制御部１３４は、ディスプレイオブジェクト３１０と入力信号オブジェクト３５０との重なり領域を検出する。図１０は、実施の形態１におけるディスプレイ（ｎ）に対する入力映像１、２の割り当て処理を説明するための図である。例えば、図１０に示すように、ディスプレイ（ｎ）のディスプレイオブジェクト３１０ｎの領域に対して、入力映像１の入力信号オブジェクト３５１と入力映像２の入力信号オブジェクト３５２が配置されている場合について説明する。まず、制御部１３４は、ディスプレイオブジェクト３１０ｎと入力信号オブジェクト３５１、３５２それぞれとの重なり領域Ｒ１、Ｒ２を検出する。そして、制御部１３４は、領域Ｒ１、Ｒ２から、入力映像１，２中の切り出し位置、切り出しサイズを決定する。
【００５７】
以上が、ディスプレイ（ｎ）に対する入力映像１、２の割り当て処理である。制御部１３４は、ディスプレイ毎に、ディスプレイに配置する入力映像について、拡大率／縮小率、切り出し位置、切り出しサイズ、ディスプレイ上の配置位置、入力映像の回転角度、等の情報を、制御パラメータとして画像処理部１３３に送信する。
【００５８】
画像処理部１３３は、制御部１３４から受信した制御パラメータを内部に保持する。以上により、マルチディスプレイシステム１０における調整動作を終了する。
【００５９】
その後の動作については、マルチディスプレイシステム１０における通常の映像表示動作において説明したとおりである。すなわち、画像処理部１３３は、複数の入力端子１３１を介して入力された入力映像信号と制御パラメータに基づいて各出力端子１３７（各ディスプレイ１１１）に出力する出力映像信号を生成する。生成された出力映像信号は、各出力端子１３７を介して各ディスプレイ１１１に出力される。これにより、マルチディスプレイ１１０において、ＵＩ画面で設定したような配置で映像が表示される。
【００６０】
例えば、図１０に示す例において、画像処理部１３３は、入力映像１に対する入力映像信号の拡大率／縮小率に基づき入力映像１を拡大／縮小し、拡大／縮小された入力映像１において領域Ｒ１に対応する部分を切り出す。同様に、画像処理部１３３は、入力映像２に対する入力映像信号の拡大率／縮小率に基づき入力映像２を拡大／縮小し、拡大／縮小された入力映像２において領域Ｒ２に対応する部分を切り出す。そして、画像処理部１３３は、領域Ｒ１に対応して切り出した映像と、領域Ｒ２に対応して切り出した映像とを合成して、ディスプレイ（ｎ）に出力する映像の出力映像信号（すなわち、出力端子ｎに出力する映像信号）を生成する。
【００６１】
図１１Ａ〜図１１Ｄは、図６〜図９に示すようにディスプレイ配置情報５０及び入力映像配置情報６０が設定された場合の、マルチディスプレイ１１０における映像の表示結果の一例を示した図である。
【００６２】
図１１Ａは、実施の形態１における入力映像信号１に基づく入力映像１を示す図である。図１１Ｂは、実施の形態１における入力映像信号２に基づく入力映像２を示す図である。図１１Ｃは、実施の形態１における入力映像信号３に基づく入力映像３を示す図である。図１１Ｄは、各ディスプレイ１１１に入力映像１〜３が割り当てられた場合のマルチディスプレイ１１０の表示例を示す図である。マルチウィンドウプロセッサ１３０の画像処理部１３３は、制御部１３４から入力される制御パラメータに基づき、入力映像１〜３の切り出し、拡大／縮小、回転処理を行う。つまり、画像処理部１３３は、制御部１３４から入力される制御パラメータに基づき、入力映像信号１〜３が示す入力映像１〜３の切り出し、拡大／縮小、回転処理を行って、出力映像信号を生成する。生成された出力映像信号は、各ディスプレイ１１１に出力される。各ディスプレイ１１１は、入力される出力映像信号に基づき、映像を表示する。これにより、図１１Ｄに示すように、マルチウィンドウプロセッサ１３０と、各ディスプレイ１１１の入力端子との接続に整合性がとれた映像が、マルチディスプレイ１１０に表示される。つまり、全体としてマルチディスプレイ１１０上に画像を正規に表示することができる。
【００６３】
［１−３．効果等］
以上のように、本実施の形態のマルチディスプレイシステム１０（画像表示システムの一例）は、任意のレイアウトで配置された複数のディスプレイ１１１（表示装置の一例）と、複数の入力映像信号が入力され、複数の入力映像信号から、レイアウトに応じた出力映像信号をディスプレイ１１１毎に生成する画像処理部１３３と、複数の異なるテストパターン画像を示すテストパターン信号を生成するテストパターン生成部１３５（パターン信号生成部の一例）と、出力映像信号及びテストパターン信号が入力され、出力映像信号及びテストパターン信号のいずれかを選択して出力するセレクタ１３６（セレクタの一例）と、複数のディスプレイ１１１に表示されたテストパターン画像を撮像する撮像装置１２０（撮像装置の一例）と、撮像装置１２０で撮像された撮像画像を解析し、解析結果に基づいて、画像処理部１３３を制御するための制御情報を生成するコントローラ１４０（制御装置の一例）と、を備える。
【００６４】
以上の構成により、本実施の形態におけるマルチディスプレイシステム１０は、テストパターン画像を撮像した画像に基づき複数のディスプレイ１１１の配置を認識し、それに応じてディスプレイ１１１毎に出力映像信号を生成する。つまり、マルチディスプレイシステム１０は、自動で各ディスプレイ１１１の配置を認識し、各ディスプレイ１１１の配置に応じて入力映像信号を制御し、出力映像信号を生成する。生成された出力映像信号は、各ディスプレイ１１１に出力される。このような構成によれば、マルチウィンドウプロセッサ１３０の出力端子１３７が所定のディスプレイ１１１に接続されていない場合であっても、自動で所定のディスプレイ１１１に出力映像信号が出力される。これにより、ユーザーは、ディスプレイ１１１に対してマルチウィンドウプロセッサ１３０のケーブルを接続する際に、出力映像信号の接続先を意識する必要がなく、ケーブルの付け替え等の作業を行う必要がない。よって、マルチディスプレイシステム１０において各ディスプレイ１１１の接続に関する設定が容易となる。
【００６５】
また、コントローラ１４０は、解析結果に基づいて、ディスプレイ１１１を示すディスプレイオブジェクト３１０（第１のオブジェクトの一例）が表示されたＵＩ画面を表示する（図８参照）。このＵＩ画面を参照することで、ユーザーは各ディスプレイ１１１の配置を容易に認識できる。
【００６６】
また、コントローラ１４０は、解析結果に基づいて、ＵＩ画面上での各ディスプレイ１１１の配置を示すディスプレイ配置情報５０（第１の配置情報の一例）を生成する。
【００６７】
また、ディスプレイ配置情報５０は、ＵＩ画面上でのディスプレイオブジェクト３１０（すなわちディスプレイ１１１）の位置及び回転角度をそれぞれ示す情報を含む。ユーザーは、このようなディスプレイ配置情報５０を参照することで、各ディスプレイ１１１の位置や回転角度を認識できる。
【００６８】
また、ディスプレイ配置情報５０はユーザーにより変更できる。
【００６９】
また、コントローラ１４０は、ユーザー操作にしたがい、ＵＩ画面上において入力映像信号に基づく映像を示す入力信号オブジェクト３５０（第２のオブジェクトの一例）を配置する。さらに、コントローラ１４０は、入力信号オブジェクト３５０の配置に基づき、ＵＩ画面上での入力映像信号に基づく映像の配置を示す入力映像配置情報６０（第２の配置情報の一例）を生成する。これにより、ユーザーはＵＩ画面上で自由に入力信号オブジェクト３５０を配置することができる。
【００７０】
また、入力映像配置情報６０は、ＵＩ画面上での入力信号オブジェクト３５０の位置、大きさ及び回転角度をそれぞれ示す情報を含む。これにより、ユーザーは、この入力映像配置情報６０を参照することで、入力映像信号に基づく映像の配置、大きさ、回転角度を認識できる。
【００７１】
画像処理部１３３は、ＵＩ画面上でのディスプレイオブジェクト３１０と、入力信号オブジェクト３５０との間の相対的な位置関係及び大きさに基づき、各ディスプレイ１１１に対する出力映像信号を生成する。これにより、ユーザーはＵＩ画面上にディスプレイオブジェクト３１０と入力信号オブジェクト３５０を所望の位置に配置するだけで、各ディスプレイ１１１に対する出力映像を容易に設定できる。
【００７２】
（実施の形態２）
図１２は、実施の形態２におけるマルチディスプレイシステム１０ｂの構成を示す図である。本実施の形態のマルチディスプレイシステム１０ｂの構成、動作は、基本的に実施の形態１のものと同様である。実施の形態２におけるマルチディスプレイシステム１０ｂは、ＶｏＩＰのようなネットワーク技術を利用し、複数の出力映像信号を重畳して１つのケーブルを介して各ディスプレイ１１１に送信する点で、実施の形態１におけるマルチディスプレイシステム１０と異なる。具体的には、図１２に示すように、マルチディスプレイ１１０の各ディスプレイ１１１と、マルチウィンドウプロセッサ１３０ｂとは、通信装置２００を介してネットワーク接続される。通信装置２００は例えばＨＵＢのようなネットワーク機器である。また、マルチウィンドウプロセッサ１３０ｂは、複数の出力映像信号を重畳した１つのケーブルを介して、通信装置２００に接続されている。
【００７３】
図１３は、実施の形態２におけるマルチウィンドウプロセッサ１３０ｂの構成を示す図である。マルチウィンドウプロセッサ１３０ｂは、セレクタ１３６から出力された複数の信号（テストパターン信号または出力映像信号）を１つのケーブルに重畳して伝送する画像送信部１３８を備える。なお、複数のディスプレイ１１１のそれぞれに対してＩＰアドレスが割り当てられている。
【００７４】
初期調整動作時において、セレクタ１３６により、テストパターン生成部１３５からのテストパターン信号が選択され、画像送信部１３８に出力される。画像送信部１３８は、入力されたテストパターン信号に対して、各ディスプレイ１１１のＩＰアドレスを付加して通信装置２００に出力する。通信装置２００は、ＩＰアドレスが付加されたテストパターン信号を、各ディスプレイ１１１にネットワークを介して送信する。各ディスプレイ１１１は、通信装置２００から送信されるテストパターン信号のうち、自己のＩＰアドレスと一致するＩＰアドレスを有するテストパターン信号を受信する。これにより、各ディスプレイ１１１には、テストパターン信号に基づいたテストパターン画像が表示される。
【００７５】
撮像装置１２０は、コントローラ１４０からの制御信号にしたがい、上記テストパターン画像を表示したマルチディスプレイ１１０を撮像し、撮像画像のデータをコントローラ１４０に送信する。コントローラ１４０は、このテストパターン画像の撮像画像のデータに基づき、ディスプレイ配置情報５０を生成する。また、コントローラ１４０は、ＵＩ画面上に配置された入力信号オブジェクト３５０の配置に基づき、入力映像配置情報６０を生成する。
【００７６】
その後、コントローラ１４０は、ディスプレイ配置情報５０及び入力映像配置情報６０を含む制御信号をマルチウィンドウプロセッサ１３０ｂに送信する。
【００７７】
通常の映像表示動作時には、マルチウィンドウプロセッサ１３０ｂの画像処理部１３３は、コントローラ１４０から受信する制御信号に基づき各ディスプレイ１１１に出力する出力映像信号を生成する。生成された出力映像信号は、セレクタ１３６に出力される。セレクタ１３６は、画像処理部１３３からの出力映像信号を選択し画像送信部１３８に出力する。
【００７８】
画像送信部１３８は、画像処理部１３３から入力されたディスプレイ１１１毎の出力映像信号に対して、各ディスプレイ１１１のＩＰアドレスを付加して通信装置２００に出力する。通信装置２００は、ＩＰアドレスが付加された出力映像信号を、各ディスプレイ１１１にネットワークを介して送信する。各ディスプレイ１１１は、通信装置２００から送信される出力映像信号のうち、自己のＩＰアドレスと一致するＩＰアドレスを有する出力映像信号を受信する。これにより、各ディスプレイ１１１には、それぞれの出力映像信号に基づいた画像が表示される。
【００７９】
以上のように、本実施の形態のマルチディスプレイシステム１０ｂは、セレクタ１３６から出力映像信号及びテストパターン信号が入力され、入力された出力映像信号及びテストパターン信号にＩＰアドレスを付加して送信する画像送信部１３８を備える。ディスプレイ１１１は、画像送信部１３８から、ＩＰアドレスが付加された出力映像信号及びテストパターン信号を受信する。そして、ディスプレイ１１１は、ディスプレイ１１１のＩＰアドレスと一致するＩＰアドレスを有する、受信した出力映像信号及びテストパターン信号に基づいた画像を表示する。
【００８０】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。そこで、以下、他の実施の形態を例示する。
【００８１】
上記の実施の形態において、図１、図５では、マルチディスプレイ１１０における各ディスプレイ１１１のレイアウトの一例を示しており、ディスプレイ１１１のレイアウトはこれに限定されない。
【００８２】
上記の実施の形態において、制御部１３４の機能を、画像処理部１３３またはコントローラ１４０で実行させるようにしても良い。
【００８３】
また、制御装置で作成した制御情報を元に、入力映像信号を自動で補正してもよい。
【００８４】
以上のように、本開示における技術の例示として、実施の形態を説明した。そのために、添付図面および詳細な説明を提供した。
【００８５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８６】
また、上述の実施の形態は、本開示における技術を例示するためのものであるから、特許請求の範囲またはその均等の範囲において種々の変更、置き換え、付加、省略などを行うことができる。
【産業上の利用可能性】
【００８７】
本開示は、複数の表示装置で１つの画面を構成するマルチディスプレイシステムに有用である。
【符号の説明】
【００８８】
１０，１０ｂ    マルチディスプレイシステム（画像表示システム）
５０    ディスプレイ配置情報
６０    入力映像配置情報
１００    映像出力装置
１１０    マルチディスプレイ
１１１    ディスプレイ（表示装置）
１２０    撮像装置
１３０，１３０ｂ    マルチウィンドウプロセッサ
１３１    入力端子
１３２    フレームメモリ
１３３    画像処理部
１３４，１４１    制御部
１３５    テストパターン生成部
１３６    セレクタ
１３７    出力端子
１３８    画像送信部
１４０    コントローラ（制御装置）
２００    通信装置
３００    キャンパス領域
３１０，３１０ｎ    ディスプレイオブジェクト
３５０，３５１，３５２    入力信号オブジェクト
【図１】
2018049257.tif 000003
【図２】
2018049257.tif 000004
【図３】
2018049257.tif 000005
【図４】
2018049257.tif 000006
【図５】
2018049257.tif 000007
【図６】
2018049257.tif 000008
【図７】
2018049257.tif 000009
【図８】
2018049257.tif 000010
【図９】
2018049257.tif 000011
【図１０】
2018049257.tif 000012
【図１１Ａ】
2018049257.tif 000013
【図１１Ｂ】
2018049257.tif 000014
【図１１Ｃ】
2018049257.tif 000015
【図１１Ｄ】
2018049257.tif 000016
【図１２】
2018049257.tif 000017
【図１３】
2018049257.tif 000018